(57)【要約】【課題】簡易な構成で除湿効率の高い収納室乾燥装置を提供すること【解決手段】除湿ロータ３４を回転させながら循環風路２８と排気風路２９との間で移動させて、収納室（クローゼット３、押入れ１０）から吸込口２３内に吸い込まれる湿気のあるエアの一部から湿気を循環風路２８内で除湿ロータ３４に吸湿することにより、エアを乾燥させて収納室に循環させる。一方、吸込口２３内に吸い込まれる湿気のあるエアの残りをヒータ３２により加熱して、この加熱したエアを排気風路２９内で除湿ロータ３４に供給し、除湿ロータ３４の排気風路２９内の部分を加熱することにより、除湿ロータ２４から湿気を放湿させた後、この湿気を大気に排気させる様にしている。これにより、収納室内のエアを乾燥させて、収納室内の収納物を乾燥させる様にしている。【選択図】　図５
2004144455.tif 000002
【特許請求の範囲】
【請求項１】
収納室にエア吸込口及びエア吹出口が開口する循環風路と、
前記循環風路と隔壁を介して隣接する位置に設けられ前記収納室のエアを排出する排気風路と、
前記収納室のエアを前記循環風路及び排気風路内に導く送風手段と、
前記循環風路と前記排気風路に設けられた通気性および吸湿性のある除湿ロータと、
前記除湿ロータが前記循環風路と前記排気風路との間で回転するように前記除湿ロータを回転駆動させる回転駆動手段と、
前記除湿ロータより上流において前記排気風路内に配設されて前記排気風路に導かれるエアを加熱するヒータを備えることを特徴とする収納室用乾燥装置。
【請求項２】
請求項１に記載の収納室乾燥装置において、前記収納室の下壁に第２のヒータが設けられていることを特徴とする収納室用乾燥装置。
【請求項３】
請求項１又は２に記載の収納室乾燥装置において、前記収納室は押入れ又はクローゼットであることを特徴とする収納室乾燥装置。
【請求項４】
請求項１〜３のいずれか一つに記載の収納室乾燥装置において、前記収納室の天井壁に開口が形成されていると共に、前記開口に前記循環風路のエア吸込口及び前記エア吸込口の周囲に環状に設けられたエア吹出口が配設されていることを特徴とする収納室乾燥装置。
【発明の詳細な説明】
【０００１】
【発明の属する技術分野】
この発明は、例えば押入れやクローゼット等その他の収納室内を乾燥させる収納室乾燥装置に関するものである。
【０００２】
【従来の技術】
一般に、布団等の寝具を使用すると、この寝具には使用者の身体から蒸発する水分が吸湿される。この水分が吸湿された寝具を押入れ内に収納した後、収納室の出入口をドアで閉めて収納室を密閉した場合、布団等に吸湿されている湿気が収納室内のエアに放湿されて収納室内の湿度が高くなり、例えば収納室の内壁面にカビが生えたりする虞がある。この場合、カビは悪臭の原因となり好ましくない。
【０００３】
このため、押入れの除湿に関しては大半の家庭で何らかの対策を行っており、除湿の要求は高いものである。
【０００４】
また、湿った寝具を使用するのは寝心地や健康の点で好ましくないので、使用後の寝具は再度使用する前に乾燥させるのが望ましい。このために通常は、寝具を天日で乾かすことで対応したり、布団乾燥機等を使用して湿気を寝具から強制的に除去するようにしているのが現状である。これらの場合、寝具を乾かす為に移動させたりするのが重労働であるという問題がある。そこで、押入れやクローゼット等の収納室内を乾燥させることで、寝具や衣類を乾燥させることが考えられている。
【０００５】
この収納室の乾燥方法としては、ゼオライトなどを利用した除湿剤を収納室内に配設して、この除湿剤で収納室内の吸湿を行わせる方法がある。しかし、この方法では、押入れの布団やクローゼット内の衣類などから発生する水分を受動的に除湿する手段であるため、時間がかかるものであった。
【０００６】
そこで、短時間で衣類を能動的に乾燥させる手段として、空調装置の室内機をクローゼットの上部内に配設したものも知られている（特許文献１参照）。
【０００７】
また、下駄箱、衣類ロッカー、衣類保管キャビネット、食品収納庫等の収納室の除湿乾燥を行う除湿乾燥装置が考えられている。この除湿乾燥装置としては、吸放湿材からなる波形状のコルゲートフィンを山同士が直交するように交互に重ねて、各コルゲートフィンの両側に互いに直角に交叉する第１，第２の風路を形成させると共に、収納室内のエアを第１の風路を介して循環させ、第２の風路に加熱外気を流すようにしたものが知られている（特許文献２参照）。
【０００８】
この除湿乾燥装置では、収納室内のエアが第１の風路を循環させられる際に、この循環するエアの湿気がコルゲートフィンに吸湿されると共に、第２の風路を流れる加熱外気がコルゲートフィンに吸湿された湿気を放湿させて排気させることにより、収納室内のエアを乾燥させるようにしている。
【０００９】
【特許文献１】
特開平７−５５１８３号公報
【特許文献２】
特開平６−４７２４４号公報
【００１０】
【発明が解決しようとする課題】
しかしながら、空調装置の室内機をクローゼットの上部内に配設する乾燥システムでは、設置スペースの確保及び施工が困難である場合が生じるという問題があった。
【００１１】
また、コルゲートフィンを用いた除湿乾燥装置では、第２の風路からコルゲートフィンを加熱することにより、第１の風路のエアの湿気をコルゲートフィンを介して第２の風路に放湿させるようにしているため、除湿効率が必ずしも満足できるものではなかった。
【００１２】
近年、共働きの家庭が増えているため、日中布団を干せない家庭が多い。さらには、時期によっては、仮に布団を干せたとしても、花粉が付着し、花粉症の人が増えている現在では、多大な問題が生じる。
【００１３】
そこで、この発明は、簡易な構成で除湿効率の高い収納室用乾燥装置を提供することを目的とするものである。
【００１４】
【課題を解決するための手段】
この目的を達成するため、請求項１の発明の収納室用乾燥装置は、前記収納室にエア吸込口及びエア吹出口が開口する循環風路と、前記循環風路と隔壁を介して隣接する位置に設けられ前記収納室のエアを排出する排気風路と、前記収納室のエアを前記循環風路及び排気風路内に導く送風手段と、前記循環風路と前記排気風路に設けられた通気性および吸湿性のある除湿ロータと、前記除湿ロータが前記循環風路と前記排気風路との間で回転するように前記除湿ロータを回転駆動させる回転駆動手段と、前記除湿ロータより上流において前記排気風路内に配設されて前記排気風路に導かれるエアを加熱するヒータを備える収納室用乾燥装置としたことを特徴とする。
【００１５】
また、請求項２の発明は、請求項１に記載の収納室乾燥装置において、前記収納室の下壁に第２のヒータが設けられていることを特徴とする。
【００１６】
更に、請求項３の発明は、請求項１又は２に記載の収納室乾燥装置において、前記収納室は押入れ又はクローゼットであることを特徴とする。
【００１７】
また、請求項４の発明は、請求項１〜３のいずれか一つに記載の収納室乾燥装置において、前記収納室の天井壁に開口が形成されていると共に、前記開口に前記循環風路のエア吸込口及び前記エア吸込口の周囲に環状に設けられたエア吹出口が配設されていることを特徴とする。
【００１８】
【発明の実施の形態】
以下、このこの発明の実施の形態を図面に基づいて説明する。
［構成］
図１（ａ）において、１は二階建ての住宅（建物）、２は一階の居室、３は居室２に設けられたクローゼット（収納室）、４はクローゼット３内に設けられた係止バー、５はクローゼット３のドア、６はクローゼット３の天井壁である。
【００１９】
この係止バー４にはハンガー７が掛けられ、ハンガー７には衣類８が掛けられている。
【００２０】
また、９は二階の居室、１０は居室９に設けられた押入れ（収納室）、１１は押入れ１０の上下方向中間部に設けられた中棚（棚板）、１２は押入れ１０のドア、１３は押入れ１０の天井壁である。この押入れ１０は、中棚１１により上部収納室１０ａと下部収納室１０ｂに分けられている。そして、下部収納室１０ｂには、収納ボックス１４等が収納されている。この中棚１１は、上部収納室１０ａの下壁となる。
【００２１】
そして、クローゼット３には除湿装置１５のみを利用した収納室乾燥装置（収納室乾燥システム）が設けられ、押入れ１０には除湿装置１５と下部ヒータ１６を利用した収納室乾燥装置（収納室乾燥システム）が設けられている。
＜除湿装置１５＞
このクローゼット３の天井壁６及び押入れ１０の収納室乾燥装置は、除湿装置１５を有する。即ち、このクローゼット３の天井壁６及び押入れ１０の天井壁１３上には、取付孔（開口）６ａ及び１３ａがそれぞれ形成されていると共に、この取付孔６ａ及び１３ａに対応させて除湿装置１５がそれぞれ配設されている。これにより除湿装置１５は、クローゼット３及び押入れ１０の外部に配設されている。この除湿装置１５は、天井壁６又は天井壁１３上に取り付けられた除湿器本体１７を有する。この除湿器本体１７は筒状の下ケース１８と上ケース１９を有する。
（下ケース１８）
この下ケース１８は、内外二重に同心に形成され且つ互いに一体に設けられた内筒２０と外筒２１を有する。
【００２２】
この内筒２０は、下端に向かうに従ってラッパ状に拡径する吸込筒部２０ａと、中間部のくびれ筒部（絞り筒部）２０ｂと、くびれ筒部２０ｂに連設されたテーパ筒部２０ｃと、テーパ筒部２０ｃ上に連設された上端部の大径筒部２０ｄを有する。
【００２３】
また、内筒２０のテーパ筒部２０ｃ内には、図７，図８に示したように、内部を２つの空間ａ１，ｂ１に区画する区画壁（第１の区画壁）２０ｅが分流板として一体に設けられている。尚、図示は省略したが吸込筒部２０ａ内には、区画壁２０ｅと同様な仕切板を設けることができる。
【００２４】
この区画壁２０ｅは、内筒２０の中心を通って直径方向に延びていると共に、内筒２０ｅの中心線と平行な方向に延びている。しかも、この区画壁２０ｅには、中心が内筒２０の中心と一致し且つ上端に開口する軸穴２０ｆが形成されている。
【００２５】
また、外筒２１は、取付孔６ａ又は１３ａに嵌合された小径筒部２１ａと、小径筒部２１ａの上端に連設され且つ天井壁６又は１３上に当接させられた段壁２１ｂと、段壁２１ｂに連設され且つ内筒２０の上部を覆う大径筒部２１ｃを有する。尚、小径筒部２１ａはくびれ筒部２０ｂの外周に同心に設けられ、大径筒部２１ｃはテーパ筒部２０ｃ及び大径筒部２０ｄの外周に同心に設けられている。
【００２６】
更に、下ケース１８は、内筒２０の上端と外筒２１の上端の略半分（即ち大径筒部２０ｄ，２１ｃの上端の略半分）を連設している半円弧状の仕切壁（端壁）２２を有する。この仕切壁２２の両端縁２２ａ，２２ａは、区画壁２０ｅの空間ａ１側の側面２２ｅ１と一致させられている。
【００２７】
そして、吸込筒部２０ａ内には下方に向かうに従って拡径するエア吸込口２３が設けられ、吸込筒部２０ａと小径筒部２１ａとの間にはエア排出口（エア吐出口）２４が形成されている。また、テーパ筒部２０ｃ及び大径筒部２０ｄと大径筒部２１ｃとの間には筒状の空間２５が形成されている。
（上ケース１９）
この上ケース１９は、下端部が下ケース１８の外筒２１の上端部に嵌着されている。また、上ケース１９の上端は端壁２６で閉成され、端壁２６には上ケース１９内に突出する区画壁（第２の区画壁）２６ａが分流板として形成されている。この区画壁２６ａは、上ケース１９の中心を通って直径方向に延びていると共に、上ケース１９の中心線が延びる方向に延びている。しかも、区画壁２６ａは、区画壁２０ｅと同方向に延びていて、上ケース１９内を２つの空間ａ２，ｂ２に区画している。そして、端壁２６にはエア排気口２７が形成されている。また、区画壁２６ａには軸穴２０ｆと同一中心を有する軸挿通孔２６ｂが形成されている。
（風路等）
そして、上述したエア吸込口２３，空間ａ１，ａ２，２５及びエア吹出口２４は循環風路２８を構成し、エア吸込口２３，空間ａ２，ｂ２及びエア排気口２７は排気風路２９を構成している。また、区画壁２０ｅ，２６ａとの対向部間には循環風路２８と排気風路２９とを連通させる連通口３０が形成されている。
【００２８】
更に、除湿装置１５は、くびれ筒部２０ｂ内に配設された電動送風機（送風手段）３１と、空間ｂ１内に配設した第１のヒータとしてのヒータ（エア加熱手段）３２と、区画壁２０ｅの軸穴２０ｆ及び区画壁２６ａの軸挿通孔２６ｂに回転自在に嵌合されたロータ軸（回転軸）３３と、ロータ軸３３に保持され且つ連通口３０を介して循環風路２８と排気風路２９に突出させられた除湿ロータ３４を有する。
【００２９】
電動送風機３１は、区画壁２０ｅに固定された駆動モータ３１ａと、駆動モータ３１ａにより回転駆動されるファン３１ｂを有する。また、除湿ロータ３４は、図１１に示したように平坦な吸湿シートＳ１に吸湿性の波形状（コルゲートフィン）帯Ｓ２が固着された吸湿帯状体Ｓを捲回して円盤状又は軸状に形成することにより、ハニカム状に形成されている。これにより、除湿ロータ３４には、ロータ軸３３の軸線と平行な方向に延びる方向に多数の通気孔ｈが形成されている。尚、除湿ロータ３４を形成している吸湿帯状体は、シリカゲル，ゼオライト，塩化リチウム等の吸湿性のある除湿剤を含ませたセルロースやセラミック繊維から形成されている。
【００３０】
更に、除湿装置１５は、上ケース１９の端壁２６上に取り付けられた駆動モータ（回転駆動手段）３５と、駆動モータ３５の回転をロータ軸３３に伝達する歯車減速装置３６を有する。
【００３１】
尚、図１１において厳密に言えば、吸湿処理ゾーンは除湿ロータ３４の循環風路２８中にある部分であり、再生ゾーンは除湿ロータ３４の排気風路２９にある部分である。しかし、図１１では説明の便宜上、除湿ロータ３４の周囲の部分を処理ゾーンおよび再生ゾーンとして図示してある。
＜下部ヒータ１６＞
更に、押入れ１０に設けた中棚１１の左右両端部上には、図１（ａ）〜（ｃ），図２に示したように、上部収納室１０ａの左右の側壁３７，３８及び中棚１１に沿って前後方向に延びるガイドレール３９，４０が配設されている。このガイドレール３９，４０は側壁３７，３８に固定されている。
【００３２】
また、ガイドレール３９，４０間には上述した下部ヒータ１６が第２のヒータとして配設されている。この下部ヒータ１６は、図２，図３に示したように上方に開放する多数のヒータ溝４１ａが形成されたヒータボード４１と、このヒータ溝４１ａ内にそれぞれ配設された帯状ヒータ（ヒータ本体）４２を有する。
【００３３】
この多数のヒータ溝４１ａは、左右方向に等ピッチで両端部まで配列されていると共に、ヒータボード４１の前後方向両端まで延設されている。しかも、ヒータ溝４１ａを形成することにより、ヒータボード４１には前後方向両端まで延びる多数の突条（凸部）４１ｂが左右方向両端まで等ピッチで簀の子状に形成されている。
【００３４】
また、ヒータボード４１の両端部はガイドレール３９，４０に前後にスライド自在に保持されている。これにより、ヒータボード４１は、ドア１２を開いた状態で図１（ｂ）の破線で示したように上部収納室１０ａから居室９内に引き出し可能に設けられている。尚、帯状ヒータ４２にはＰＴＣ（Ｐｏｓｉｔｉｖｅ　Ｔｅｍｐｅｒａｔｕｒｅ　Ｃｏｅｆｆｉｃｉｅｎｔ＝正温度係数）特性（温度が高くなると電気抵抗値が上昇する特性）のあるヒータが用いられている。このＰＴＣヒータは、温度が低いときは電流が通りやすく、温度が高くなると電流を流しにくくして、一定の温度に達したら、それ以上に温度が上がらないように設定されていて、「省エネ性」や「安全性」などにすぐれているので、押入れ等において用いるヒータとして適している。
［作用］
次に、この様な構成の収納室乾燥装置の作用を説明する。
（１）クローゼット３の除湿乾燥
このクローゼット３内のハンガー７には衣類８等が掛けられている。この衣類８には、使用後は使用者の身体から放湿される水分が吸湿されていたり、雨滴等で濡れたりすることがある。
【００３５】
従って、この様な衣類をクローゼット３内に収納した場合、或いは定期的にクローゼット３の収納室乾燥装置の図示しない電源スイッチを入れると良い。そして、この電源スイッチが入ると、除湿装置１５の駆動モータ３１ａ，３５が作動させられると共に、除湿装置１５のヒータ３２に通電される。
【００３６】
この駆動モータ３５の回転は歯車減速装置３６を介してロータ軸３３に伝達され、ロータ軸３３と除湿ロータ３４が低速で一体的に回転させられる。この除湿ロータ３４の回転に伴い、除湿ロータ３４の循環風路２８中にある部分（吸湿処理ゾーン）は回転方向前側が排気風路２９内に移動し、除湿ロータ３４の排気風路２９にある部分（再生ゾーン）は回転方向前側が循環風路２８内に移動する。
【００３７】
これに伴い、駆動モータ３１ａの作動によりファン３１ｂが回転駆動される。これにより、電動送風機３１は、クローゼット３内のエアをエア吸込口２３から内筒２０内に吸い込ませる。
【００３８】
この内筒２０内に吸い込まれたエアの半分は、循環風路２８内を矢印Ａ１の如く流れた後に、エア吹出口２４からクローゼット３内に循環させられる。この際、循環させられるエアは図５において吸湿処理ゾーン内にある除湿ロータ３４の左半分（図１１ではＭ１で示した部分の通気孔ｈ）を透過させられて、このエアに含まれる湿気（水分）Ｗ１が循環風路２８内において除湿ロータ３４に吸湿される。
【００３９】
しかも、この除湿ロータ３４は、後述するようにヒータ３２により加熱されたエアで高温に加熱されているので、循環風路２８内で除湿ロータ３４を通過するエアは高温に加熱される。
【００４０】
これにより、循環風路２８内において除湿ロータ３４から吹出されるエアは、乾燥させられると共に高温となり、エア吹出口２４からクローゼット３内に図４の矢印Ａ５で示したように循環させられ、クローゼット３内のエアを高温に乾燥させる。
【００４１】
一方、内筒２０内に吸い込まれたエアの残りの半分は、排気風路２９を矢印Ａ２の如く流れて図示しない排気ダクトを介して外気に排気される。この際、排気されるエアは、図５における除湿ロータ３４の右半分（図１１ではＭ２で示した部分）の上流においてヒータ３２により加熱された後、除湿ロータ３４の右半分内（図１１ではＭ２で示した部分の通気孔ｈ内）を流れて除湿ロータ３４の右半分を加熱し、除湿ロータ３４に吸湿されていた水分Ｗ２を放湿させる。尚、排気風路２９は、クローゼット３内の湿気のあるエアの一部をそのまま外気に排気するので、循環されるエアの除湿効率が良くなる。
【００４２】
この様に電動送風機３１によりエア吸込口２４に吸い込まれたエアは、分流板としての区画壁２０ｅにより循環風路２８と排気風路２９に分流される。そして、除湿ロータ３４は、低速で回転しながら循環風路２８と排気風路２９との間で回転移動して、分流されたエアから湿気を循環風路２８内で吸湿する一方、分流されてヒータ３２で加熱されたエアにより排気風路２９内で放湿する。しかも、放湿されたエアは排気風路２９を介して大気に排気され、除湿されたエアは高温となって循環風路２８を介してクローゼット３内に循環させられる。この様に乾燥させられ且つ高温となったエアをクローゼット３内に排出することで、クローゼット３内の除湿・乾燥を促進させて、クローゼット３内の衣類８を迅速に乾燥させることができる。これにより、クローゼット３の内壁面や衣類等にカビが生えたりするのを未然に防止できる。
（２）押入れ１０内の除湿乾燥
押入れ１０の中棚１１上への寝具等の出し入れに際しては、ドア１２を開いてヒータボード４１を押入れ１０から手前側すなわち居室９側に引くことにより、ヒータボード４１はガイドレール３９，４０に案内されて居室９内に引き出されるので、寝具の出し入れが容易になる。この場合、ヒータボード４１の居室９側への引き出し量は略ヒータボードの４１の奥行きの半分程度が望ましいが、必ずしもこれに限定されるものではない。
【００４３】
従って、下部ヒータ１６のヒータボード４１上に使用後の布団４３を収納する場合や、収納した布団４３を取り出す場合にはヒータボード４１を居室９側に例えば略奥行きの半分程度引き出して、ヒータボード４１上に布団４３を積層し又はヒータボード４１上に積層した布団４３を取り出すと良い。
【００４４】
ところで、使用後の布団４３が図１（ａ）に示したように折り畳んで積層された場合、この布団４３は使用者の身体から放湿された水分が吸湿されて湿っている。従って、使用後の布団４３を押入れ１０の中棚１１上に収納した場合には押入れ１０の収納室乾燥装置の図示しない電源スイッチを入れて、布団４３の乾燥を開始させると良い。
【００４５】
即ち、この収納室乾燥装置の電源スイッチを入れると、除湿装置１５の駆動モータ３１ａ，３５が作動させられ、除湿装置１５のヒータ３２に通電されると共に、下部ヒータ１６に通電される。
【００４６】
この下部ヒータ１６のヒータボード４１上に布団４３を載せると、布団４３はヒータボード４１の多数の突条４１ｂに支持されるので、ヒータ溝４１ａ内は布団４３で埋め尽くされることなく、このヒータ溝４１ａ内には長手方向両端まで連通する空間が形成される。この状態で、下部ヒータ１６に通電、即ちヒータ溝４１ａ内の帯状ヒータ４２に通電されると、帯状ヒータ４２は所定温度まで温度上昇させられて、帯状ヒータ４２上のエアを加熱し、遠赤外線を放射させて布団４３を下方から強制的に加熱する。
この加熱により、布団４３から強制的に放湿された水分の一部は図３で矢印Ａ３で示したようにヒータ溝４１ａの長手方向に移動した後、上方に上昇させられる。また、帯状ヒータ４２による布団４３の加熱により、布団４３内の水分は布団４３の外表面から直接に押入れ１０内に強制的に放湿されて、エアと共に上昇させられる。
【００４７】
これに伴い、上述したように除湿装置１５の駆動モータ３１ａ，３５が作動させられると共にびヒータ３２に通電されると、除湿装置１５が上述した（１）と同様に作動して、除湿乾燥させられたエアが図２の矢印Ａ６で示したように押入れ１０内に循環させられて、押入れ１０内のエアを乾燥させると共に高温にする。
【００４８】
即ち、除湿ロータ３４は、低速で回転しながら循環風路２８と排気風路２９との間で回転移動して、分流されたエアから湿気を循環風路２８内の部分（吸湿処理ゾーン）で吸湿する一方、分流されてヒータ３２で加熱されたエアにより排気風路２９内の部分（再生ゾーン）で放湿する。
【００４９】
しかも、放湿されたエアは排気風路２９を介して図示しない排気ダクトに導かれ外気へ排気され、除湿されたエアは高温となって循環風路２８を介して押入れ１０内に循環させられる。この様に乾燥させられ且つ高温となったエアを押入れ１０内に排出することで、押入れ１０内の除湿・乾燥を促進させて、押入れ１０内の布団４３を迅速に乾燥させることができる。これにより、押入れ１０の内壁面や布団等の寝具にカビが生えたりするのを未然に防止できる。
【００５０】
この様に、布団４３内の湿気を下部ヒータ１６で加熱して強制的に放湿させる一方、この放湿されて湿ったエアから湿気を除湿装置１５の除湿ロータ３４で除湿すると共に、この除湿されたエアを加熱される除湿ロータ３４で高温に加熱して図２の矢印Ａ６で示したように押入れ１０内に循環させ、押入れ１０内のエアを乾燥させることにより、押入れ１０内の除湿乾燥を更に促進させることができる。この様に下部ヒータ１６と除湿装置１５を用いていて押入れ１０内の除湿乾燥を行った場合には、除湿装置１５のみを用いて押入れ１０内を乾燥させる場合に比べて、除湿乾燥を更に迅速に行うことができる。
（変形例１）
以上説明した実施例では、駆動モータ３５および歯車減速装置３６を上ケース１９の端壁２６上に装着した例を示したが、必ずしもこの構成に限定されるものではない。
【００５１】
例えば、図１２に示したように、空間２５内に配設した駆動モータ３５を端壁２２の下面に取り付け、駆動モータ３５の出力軸３５ａと一体にピニオン３５ｂを設けると共に、このピニオン３５ｂに噛合する大径で環状（リング状）のギヤ３４ａを除湿ロータ３４の外周に嵌着固定した構成としても良い。この場合、ピニオン３５ｂとギヤ３４ａは大径筒部２０ｄに形成した開口２０ｄ１を介して噛合している。
【００５２】
この構成では、駆動モータ３５の回転が出力軸３５ａおよびピニオン３５ｂを介してギヤ３４ａに伝達され、ギヤ３４ａが除湿ロータ３４と一体に回転させられる。この際、除湿ロータ３４は、上述した実施例と同様に循環風路２８と排気風路２９との間で回転させられる。
【００５３】
また、吸込筒部２０ａおよびくびれ筒部２０ｂ内には、図１２および図１３に示したように中心線に沿って延びる仕切板（区画壁）２０ｇが一体に設けられている。この仕切板２０ｇは、吸込筒部２０ａおよびくびれ筒部２０ｂ内を２つの空間ａ０およびｂ０に区画している。この場合、空間ａ０，ｂ０はエア吸込口２３ａ，２３ｂをそれぞれ有することになる。また、仕切壁２０ｇには開口２０ｇ１が形成されていて、電動送風機３１のファン３１ｂが開口２０ｇ１を介して空間ａ０，ｂ０間で回転するようになっている。
【００５４】
尚、区画壁２６ａにはボス部２６１が一体に設けられ、仕切板２６ｇにはボス部２６ｇ２が一体に設けられている。そして、このボス部２６ａ２及び２６ｇ２には除湿ロータ３４のロータ軸３３が回転自在に保持されている。
【００５５】
しかも、エア吸込口２３ａ，空間ａ１，ａ２，２５及びエア吹出口２４は循環風路２８を構成し、エア吸込口２３ｂ，空間ａ２，ｂ２及びエア排気口２７は排気風路２９を構成している。従って、電動送風機３１駆動モータ３１ａを作動させると、ファン３１ｂが回転させられて、収納室（例えば、クローゼット６や押入れ１３等）の空気（エア）がエア吸込口２３ａを介して循環風路２８に吸い込まれる一方、収納室の空気がエア吸込口２３ｂを介して排気風路２９に吸い込まれることになる。
【００５６】
尚、他の構成および作用に付いては、上述した実施例と同様であるので、その説明は省略する。
（変形例２）
更に、一つの電動送風機３１を用いて収納室の空気を循環風路２８および排気風路２９に吸い込ませるようにしたが、必ずしもこれに限定されるものではない。例えば、循環風路２８および排気風路２９にそれぞれ電動送風機を設けて、循環風路２８と排気風路２９に別々の電動送風機で収納室の空気を吸い込ませるようにしても良い。
【００５７】
この場合には、循環風路２８と排気風路２９に吸い込ませる空気の量を個別に最適な状態に設定することが可能である。
【００５８】
以上説明したように、この発明の実施の形態の収納執拗乾燥装置は、収納室（クローゼット３，押入れ１０）にエア吸込口２３及びエア吹出口２４が開口する循環風路２８と、前記循環風路２８と区画壁２０ｅ，２６ａを介して隣接する位置に設けられ前記収納室（クローゼット３，押入れ１０）のエアを排出する排気風路２９を有する。また、収納執拗乾燥装置は、前記収納室（クローゼット３，押入れ１０）のエアを前記循環風路２８及び排気風路２９内に導く送風手段（電動送風機３１）と、前記循環風路２８と前記排気風路２９に設けられた通気性および吸湿性のある除湿ロータ３４と、前記除湿ロータ３４が前記循環風路２８と前記排気風路との間で回転するように前記除湿ロータ３４を回転駆動させる回転駆動手段（駆動モータ３５）と、前記除湿ロータ３４より上流において前記排気風路２９内に配設されて排気風路２９内に導かれるエアを加熱するヒータを備えている。
【００５９】
この構成によれば、エア吸込口２３に湿気のあるエアが吸い込まれても、吸い込まれるエアの一部から湿気を除湿して、除湿したエアを収納室に高温にして循環させる一方、この除湿した湿気と共に吸い込まれる湿気のあるエアの残りを大気に排気できるので、簡易な構成で収納室の除湿乾燥を効率良く行うことができる。
【００６０】
また、この発明の実施の形態の収納執拗乾燥装置は、上述した発明の実施の形態の構成に加えて、更に前記収納室（押入れ１０）の下壁（中棚１１）に第２のヒータ（下部ヒータ１６）が設けられている構成としている。
【００６１】
この構成によれば、下壁上に配設された第２のヒータにより、第２のヒータ上に配設された布団等の収納物から湿気（水分）を強制的に放湿させることができるので、この放湿により湿気が多く含まれるエアを除湿器本体１７のエア吸込口２３に吸い込ませて、除湿乾燥を行わせることで、収納室内の除湿乾燥をより効率的に迅速に行うことができる。即ち、収納室内の除湿乾燥を促進させることができる。
【００６２】
更に、この発明の実施の形態における前記収納室は押入れ１０又はクローゼット３である構成としたので、押入れ１０又はクローゼット３の除湿乾燥を効率的に行うことができる。
【００６３】
また、この発明の実施の形態の収納執拗乾燥装置は、前記収納室（クローゼット３，押入れ１０）の天井壁６，１３に開口（取付孔６ａ，１３ａ）が形成されていると共に、前記開口（取付孔６ａ，１３ａ）に前記循環風路２８のエア吸込口２３及び前記エア吸込口２３の周囲に環状に設けられたエア吹出口２４が配設されている構成としている。
【００６４】
この構成によれば、エア吸込口２３及びエア吹出口２４を一つの開口の部分にまとめて配置できるので、除湿装置本体１７を小型化できると共に、天井壁に開ける開口も一つで済むことになる。
【００６５】
【発明の効果】
この発明の請求項１の発明は、以上説明したように構成したので、除湿器本体のエア吸込口に湿気のあるエアが吸い込まれても、吸い込まれるエアの一部から湿気を除湿して、除湿されたエアを収納室に高温にして循環させる一方、この除湿した湿気と共に吸い込まれる湿気のあるエアの残りを外気に排気でき、簡易な構成で収納室の除湿乾燥を効率良く行うことができる。
【００６６】
また、請求項２の発明によれば、下壁上に配設された第２のヒータにより、第２のヒータ上に配設された布団等の収納物から湿気（水分）を強制的に放湿させることができるので、この放湿により湿気が多く含まれるエアを除湿器本体のエア吸込口に吸い込ませて、除湿乾燥を行わせることで、収納室内の除湿乾燥をより効率的に行うことができる。即ち、収納室内の除湿乾燥を促進させることができる。
【００６７】
更に、請求項３の発明は、収納室は押入れ又はクローゼットである構成としたので、押入れ又はクローゼットの除湿乾燥を効率的に行うことができる。
【００６８】
また、請求項４の発明は、エア吸込口及びエア排出口を一つの開口の部分にまとめて配置できるので、装置本体を小型化できると共に、天井壁に開ける開口も一つで済むことになる。
【図面の簡単な説明】
【図１】（ａ）はこの発明に係る収納室除湿装置を備える建物の概略説明図、（ｂ）は（ａ）の要部拡大図、（ｃ）は（ｂ）を右側から見たときの要部説明図である。
【図２】図１（ａ）の押入れの作用説明図である。
【図３】図２の部分拡大斜視図である。
【図４】図１（ａ）のクローゼットの作用説明図である。
【図５】図１（ａ）の除湿装置と天井壁との関係を示す断面図である。
【図６】図５のＡ４−Ａ４線に沿う除湿ロータの断面図である。
【図７】図５のＣ１−Ｃ１線に沿う断面図である。
【図８】図５のＣ２−Ｃ２線に沿う断面図である。
【図９】図５のＣ３−Ｃ３線に沿う断面図である。
【図１０】図５のＣ４−Ｃ４線に沿う断面図である。
【図１１】図５に示した除湿ロータの作用説明図である。
【図１２】この発明の収納室除湿装置の変形例を示す断面図である。
【図１３】（ａ）は図１２の除湿ロータと仕切板との関係を示す説明図、（ｂ）は図１２の仕切板の概略右側面図である。
【符号の説明】
３・・・クローゼット（収納室）
６，１３・・・天井壁
６ａ，１３ａ・・・取付孔（開口）
１０・・・押入れ（収納室）
１６・・・下部ヒータ（第２のヒータ）
１７・・・除湿器本体
２０ｅ２６ａ・・・区画壁（隔壁の一部）
２３・・・エア吸込口
２４・・・エア吹出口
２８・・・循環風路２８
２９・・・排気風路
３０・・・連通口
３１・・・電動送風機（送風手段）
３２・・・ヒータ（第１のヒータ）
３３・・・ロータ軸（回転軸）
３４・・・除湿ロータ
３５・・・駆動モータ（回転駆動手段）
【図１】
2004144455.tif 000003
【図２】
2004144455.tif 000004
【図３】
2004144455.tif 000005
【図４】
2004144455.tif 000006
【図５】
2004144455.tif 000007
【図６】
2004144455.tif 000008
【図７】
2004144455.tif 000009
【図８】
2004144455.tif 000010
【図９】
2004144455.tif 000011
【図１０】
2004144455.tif 000012
【図１１】
2004144455.tif 000013
【図１２】
2004144455.tif 000014
【図１３】
2004144455.tif 000015